(57)【要約】      （修正有）【課題】自給式呼吸器を使用時にタンクの重量による使用者への負荷を軽減する背支持フレームを提供する。【解決手段】フレームが使用者の背中と関節結合を成すことができるように水平に自給式呼吸器ボトルを取り付けるためのＳＣＢＡフレーム１００は、取付メカニズム１０４によって各々連結された複数の取付板を備える。取付メカニズム１０４は、取付板１０２が水平軸を中心として使用者の動きにしたがって互いに動き、ＳＣＢＡフレーム１００が、使用者の背中の形状に適合することを可能とする。【選択図】図４
2019162421.tif 000002
【特許請求の範囲】
【請求項１】
フレームが使用者の背中と関節結合を成すことができるように、水平に自給式呼吸器ボトルを取り付けるためのフレームであって、
上縁部と、下縁部と、一対の辺部とを備える上板と、
上縁部と、下縁部と、一対の辺部とを備える中間板と、
上縁部と、下縁部と、一対の辺部とを備える下板と、
前記上板の前記下縁部を前記中間板の前記上縁部に枢支連結する第１の取付メカニズムと、
前記中間板の前記下縁部及び前記下板の前記上縁部を枢支連結する第２の取付メカニズムと、ここにおいて、前記第１の取付メカニズム及び前記第２の取付メカニズムは、前記上板、中間板、及び下板が、水平軸を中心として、かつ、前記使用者の動きに従って捩って、関節動作することを可能にする、
を備えるフレーム。
【請求項２】
前記第１の取付メカニズムは、一対の取付メカニズムを備える、請求項１に記載のフレーム。
【請求項３】
前記一対の第１の取付メカニズムは、前記上板及び中間板の前記辺部に近接して位置している、請求項２に記載のフレーム。
【請求項４】
前記第１の取付メカニズム及び前記第２の取付メカニズムは、各々、一対の取付メカニズムを備える、請求項１に記載のフレーム。
【請求項５】
前記一対の第１の取付メカニズム及び第２の取付メカニズムは、前記上板、中間板、及び下板の前記辺部に近接して位置している、請求項４に記載のフレーム。
【請求項６】
前記第１の取付メカニズム及び前記第２の取付メカニズムは、ケーブルを備える、請求項１に記載のフレーム。
【請求項７】
前記第１の取付メカニズム及び前記第２の取付メカニズムは、各々、前記上板、中間板、下板の前記辺部に連結されており、かつ、それらに近接して位置している一対のブロックを更に備える、請求項６に記載のフレーム。
【請求項８】
前記ケーブルは、前記一対のブロックに連結されている、請求項７に記載のフレーム。
【請求項９】
前記ケーブルは、前記ブロックのうちの少なくとも１つにおける溝部内で連結されている、請求項８に記載のフレーム。
【請求項１０】
前記上板、前記中間板、及び前記下板は、各々、前記板の内面に連結されており、かつ、前記板の前記辺部から内方に延びる一対の腰部支持部を備える、請求項１に記載のフレーム。
【請求項１１】
前記上板、前記中間板、及び前記下板は、略長方形である、請求項１に記載のフレーム。
【請求項１２】
エアシリンダ取付システムを更に備え、前記エアシリンダ取付システムは、
前記上板、前記中間板、及び前記下板の上方縁部の各々から外方に延びる上部フランジと、
前記上板、前記中間板、及び前記下板の下方縁部の各々から外方に延びる下部フランジと
を備える、請求項１に記載のフレーム。
【請求項１３】
前記上部フランジ及び前記下部フランジの各々は、前記上板、前記中間板、及び前記下板の前記上部フランジと前記下部フランジとの間に前記自給式呼吸器ボトルを取り付けるために、ストラップを受けるように構成された切り欠きを備える、請求項１２に記載のフレーム。
【請求項１４】
前記中間板は、
上縁部と、下縁部と、一対の辺部とを備える上部中間板と、
上縁部と、下縁部と、一対の辺部とを備える下部中間板と、
前記上部中間板の前記下縁部を前記下部中間板の前記上縁部に枢支連結する第３の取付メカニズムと
を備える、請求項１に記載のフレーム。
【請求項１５】
フレームが使用者の背中と共に動くことができるように水平に自給式呼吸器ボトルを取り付けるためのフレームであって、
上縁部と、下縁部と、一対の辺部とを備える上板と、
上縁部と、下縁部と、一対の辺部とを備える上部中間板と、
上縁部と、下縁部と、一対の辺部とを備える下部中間板と、
上縁部と、下縁部と、一対の辺部とを備える下板と、
前記上板の前記下縁部及び前記上部中間板の前記上縁部を枢支連結する第１の取付メカニズムと、
前記上部中間板の前記下縁部を前記下部中間板の前記上縁部に枢支連結する第２の取付メカニズムと、
前記下部中間板の前記下縁部を前記下板の上縁部に枢支連結する第３の取付メカニズムと、ここにおいて、前記第１の取付メカニズム、前記第２の取付メカニズム、及び前記第３の取付メカニズムは、前記上板、前記上部中間板、前記下部中間板、及び前記下板が、水平軸を中心として、かつ、前記使用者の動きに従って捩って、関節動作することを可能にする、
を備えるフレーム。
【請求項１６】
前記第１の取付メカニズム、前記第２の取付メカニズム、及び前記第３の取付メカニズムは、各々、前記上板、前記上部中間板、前記下部中間板、及び前記下板の前記辺部に近接して位置する一対の取付メカニズムを備える、請求項１５に記載のフレーム。
【請求項１７】
第１の取付メカニズム、第２の取付メカニズム、及び第３の取付メカニズムの各対は、各々、
前記上板、前記上部中間板、前記下部中間板、及び前記下板の前記辺部に連結されており、かつ、それに近接して位置している一対のブロックと、
前記一対のブロックに連結された一対のケーブルと
を備える、請求項１６に記載のフレーム。
【請求項１８】
前記ケーブルは、前記ブロックのうちの少なくとも１つにおける溝部内で連結される、請求項１７に記載のフレーム。
【請求項１９】
フレームが使用者の背中と共に動くことができるような、バックパックシステムのための関節動作フレームであって、
上縁部と、下縁部と、一対の辺部とを備える上板と、
上縁部と、下縁部と、一対の辺部とを備える中間板と、
上縁部と、下縁部と、一対の辺部とを備える下板と、
前記上板の前記下縁部を前記中間板の前記上縁部に枢支連結する第１の取付メカニズムと、
前記中間板の前記下縁部を前記下板の前記上縁部に枢支連結する第２の取付メカニズムと、ここにおいて、前記第１の取付メカニズム及び前記第２の取付メカニズムは、前記上板、中間板、及び下板が、水平軸を中心として、かつ、前記使用者の動きに従って捩って、関節動作することを可能にする、
を備える関節動作フレーム。
【発明の詳細な説明】
【関連出願への相互参照】
【０００１】
[0001]本願は、２０１８年３月１３日に出願された米国仮特許出願第６２／６４２，４６９号の利益を主張し、この出願の開示を参照によって組み込む。
【背景技術】
【０００２】
[0002]消防業界で利用される自給式呼吸器（「ＳＣＢＡ」）は、典型的に、１つのＳＣＢＡフレーム／ハーネスと、消防士の背中に結び付けられ、消防士のキャンバス製ターンアウトの上に着用される略垂直配向のエアボトルとから成る。標準のＳＣＢＡ設計は、標準のＳＣＵＢＡタンク設計にいくらか類似する。しかしながら、ＳＣＢＡ及びＳＣＵＢＡのフレームの使用者に影響を与えるこれらのフレームが使用される環境には明らかな違いがある。例えば、ＳＣＵＢＡタンクを使用している間、人体は浮力があり、水の外の重力の圧力の影響を受けない。しかしながら、消防士がＳＣＢＡを使用するときは、消防士にかかる圧力及び条件は、著しい強要及び負傷を引き起こす可能性がある。
【０００３】
[0003]標準のＳＣＢＡ構成の一貫した使用は、使用者の背中及び背骨に対して著しい消耗を引き起こす可能性がある。具体的には、Ｌ４〜Ｌ５及びＬ５〜Ｓ１の負傷は、ある頻度で報告され、手術を必要とし得、これにより、消防士は動けなくなり、業務から解任される。現在、標準のＳＣＢＡは、背骨に沿った動きを制限し、これは、腰背部を、動きのためのヒンジ及び支点としてのみ機能させるため、腰の圧力を全ての下部背骨にかける。
【０００４】
[0004]このため、消防士への負傷を低減して、神経外科医及び医師によって、消防士による日常的な負傷の性質により厳しく制限され得る生活の質を高める、改良されたＳＣＢＡフレームが利用され得る。現在のＳＣＢＡ構成は、深刻な背中の負傷、例えば、背骨のＬ４，Ｌ５，Ｓ１ヘルニア形成、の一因となり、それを引き起こす。
【発明の概要】
【０００５】
[0005]例示的なＳＣＢＡフレームは、取付システムを介して互いに連結されている１つよりも多くの板を有するフレームを備え得る。取付システムは、これらの板が互いに対して動くことを可能にする。ＳＣＢＡフレームは、着用者の背中の形状を擬態する。ＳＣＢＡフレームは、１つよも多くのエアシリンダを受けるように構成され得、これらのシリンダは、標準のホースによって連結されている。ＳＣＢＡフレームはまた、標準のＳＣＢＡハーネスと、呼吸装置と、腰アタッチメントとを受け得る。
【０００６】
[0006]ＳＣＢＡフレームは、このフレームが使用者の背中と共に動くか又はそれと関節結合を成すことができるように、水平に自給式呼吸器ボトルを取り付けるためのものである。ＳＣＢＡフレームは、上縁部と、下縁部と、一対の辺部とを備える上板と、上縁部と、下縁部と、一対の辺部とを備える中間板と、上縁部と、下縁部と、一対の辺部とを備える下板と、上板の下縁部及び中間板の上縁部に連結された第１の取付メカニズムと、中間板の下縁部及び下板の上縁部に連結された第２の取付メカニズムとを備え得、ここにおいて、第１及び第２の取付メカニズムは、上板、中間板、及び下板が、水平軸を中心として、かつ、使用者の動きに従って捩って、動くことを可能にする。第１の取付メカニズムは、上板及び中間板の辺部に近接して位置する一対の取付メカニズムを備える。フレームは、第１及び第２の取付メカニズムを備え得、それらは、上板、中間板、及び下板の辺部に近接して位置している一対の取付メカニズムを有する。
【０００７】
[0007]本発明のより完全な理解は、以下の実例となる図を参照して考慮するとき、詳細な説明及び特許請求の範囲を参照することで導出され得る。以下の図では、同様の番号は、これらの図全体にわたって同様の要素及びステップを指す。
【０００８】
[0008]図における要素及びステップは、明瞭さ及び簡潔さのために例示されており、必ずしも、任意の特定のシーケンスに従ってレンダリングされているわけではない。例えば、本技術の実施形態の理解を高めるのを助けるために、同時に又は異なる順序で実行され得るステップが図に例示される。
【０００９】
[0009]説明される図は、例示を目的としたものにすぎず、いずれによっても本開示の範囲を限定するよう意図されていない。本発明の様々な態様は、詳細な説明及び付随の描写図からより十分に理解され得る。
【図面の簡単な説明】
【００１０】
【図１】[0010]図１は、本技術の例示的な実施形態に係る、背骨を有する人体と、それが着用しているＳＣＢＡフレームの一部分の向きとを代表的に例示する側面図である。
【図２】[0011]図２は、本技術の例示的な実施形態に係る、使用者が着用しているＳＣＢＡフレーム及びハーネスを代表的に例示する側面図である。
【図３】[0012]図３は、本技術の例示的な実施形態に係る、使用者が着用しているＳＣＢＡフレーム、ハーネス、及びエアシリンダを代表的に例示する背面図である。
【図４】[0013]図４は、本技術の例示的な実施形態に係る、ＳＣＢＡフレーム及びハーネスを代表的に例示する後面斜視図である。
【図５Ａ】[0014]図５Ａは、本技術の例示的な実施形態に係る、ＳＣＢＡフレームを代表的に例示する後面斜視図である。
【図５Ｂ】[0015]図５Ｂは、本技術の例示的な実施形態に係る、ＳＣＢＡフレームを代表的に例示する正面斜視図である。
【図６Ａ】[0016]図６Ａは、本技術の例示的な実施形態に係る、ＳＣＢＡフレームを代表的に例示する背面図である。
【図６Ｂ】[0017]図６Ｂは、本技術の例示的な実施形態に係る、ＳＣＢＡフレームを代表的に例示する側面図である。
【図７Ａ】[0018]図７Ａは、本技術の例示的な実施形態に係る、ＳＣＢＡフレームのための上部取付板の背面図である。
【図７Ｂ】[0019]図７Ｂは、本技術の例示的な実施形態に係る、図７Ａの上部取付板及びＳＣＢＡフレームのための上部中間取付板の底面図である。
【図７Ｃ】[0020]図７Ｃは、本技術の例示的な実施形態に係る、ＳＣＢＡフレームのための下部取付板の背面図である。
【図７Ｄ】[0021]図７Ｄは、本技術の例示的な実施形態に係る、図７Ｃの下部取付板及びＳＣＢＡフレームのための下部中間取付板の底面図である。
【図７Ｅ】[0022]図７Ｅは、本技術の例示的な実施形態に係る、ＳＣＢＡフレームのための中間取付板の背面図である。
【図７Ｆ】[0023]図７Ｆは、本技術の例示的な実施形態に係る、ＳＣＢＡフレームのための図７Ｅの中間取付板の端面図である。
【図８Ａ】[0024]図８Ａは、本技術の例示的な実施形態に係る、使用者がしゃがんでいる場合の、使用者が着用しているＳＣＢＡフレーム及びハーネスを代表的に例示する側面図である。
【図８Ｂ】[0025]図８Ｂは、本技術の例示的な実施形態に係る、使用者が前屈姿勢を取っている場合の、使用者が着用しているＳＣＢＡフレーム及びハーネスを代表的に例示する側面図である。
【図８Ｃ】[0026]図８Ｃは、本技術の例示的な実施形態に係る、使用者が立っている場合の、使用者が着用しているＳＣＢＡフレーム及びハーネスを代表的に例示する側面図である。
【図９】[0027]図９は、本技術の例示的な実施形態に係る代替的な実施形態である。
【発明を実施するための形態】
【００１１】
[0028]図中の要素及びステップは、明瞭さ及び簡潔さのために例示されており、必ずしも、任意の特定のシーケンスに従って表現されているわけではない。例えば、同時に又は異なる順序で実行され得るステップは、本技術の実施形態の理解を高めるのを助けるために図中に例示されている。
【００１２】
[0029]本技術は、機能ブロック構成要素及び様々な処理ステップの観点から説明され得る。そのような機能ブロックは、特定の機能を実行し、様々な結果を達成するように構成された任意の数の構成要素によって実現され得る。例えば、本技術は、ＳＣＢＡ製品のためのフレームで使用され得る。本技術は、荷物を運ぶ、及び、使用者によって支持及び／又は着用される任意の適切なフレームでもインプリメントされ得る。加えて、本技術は、任意の数の材料及び製造方法と共に実施され得、説明されるシステムは、本技術のための１つの例示的なアプリケーションにすぎない。
【００１３】
[0030]例示的な実施形態は、当業者が本発明を実施することを可能にするのに十分詳細に本明細書で説明されているが、他の実施形態が実現され得ること、及び、本発明の精神及び範囲から逸脱することなく論理的な構造上の、物質上の、及び機械的な変更が行われ得ることは理解されるべきである。本開示、その態様、及びインプリメンテーションは、本明細書で開示される特定の構成要素又は組立工程に限定されるわけではない。対象の装置と一致する、当技術分野で知られている多数の追加の構成要素及び組立工程は、ＳＣＢＡフレーム及び付随部のインプリメンテーションでの使用のために明らかになるであろう。故に、以下の説明は、本発明の用途又は適用性に対する限定として意図されるものではなく、例示的な実施形態の十分な及び完全な説明を可能にするためだけに提供されている。
【００１４】
[0031]現在、消防業務におけるハーネス及びボトルを含む従来のＳＣＢＡ装置は、背骨と平行に装着される大型の略垂直配向のエアボトルを有する剛性フレームから成り、これは、背骨に添え木を施し（splint）、動きの邪魔をする。図１に示されるように、使用者の背骨は、略垂直配向ではなく、むしろ湾曲している。簡潔に、例示的な実施形態に従って、ＳＣＢＡフレームの外形が例示されており、これは、背骨の向きに一致しており、使用者がより快適に装着することを可能にする。
【００１５】
[0032]このように、様々な実施形態では、そして図２に示されるように、本技術は、着用者の背骨の形状に適合し得るＳＣＢＡフレーム１００を利用する。
【００１６】
[0033]ＳＣＢＡフレーム１００は、ＳＣＢＡ製造業者によって提供されるとしてリストに記載されているシリンダのうちの任意のものを有する全てのＮＩＯＳＨ（National Institute for Occupational Safety and Health）規格を維持し得る。ＳＣＢＡフレーム１００は、３０、４５、６０分の定格寿命を有するＣＢＲＮ（chemical, biological, radiological and nuclear）防護に関するＮＩＯＳＨ ４２ ＣＦＲ，Ｐａｒｔ８４に承認されているであろう。ＳＣＢＡフレーム１００は、ＮＦＰＡ（National Fire Protection Association）ＮＦＰＡ−１９８１，２０１３版の「Standard on Open-Circuit Self-Contained Breathing Apparatus for Emergency Service」の全ての要件に準拠し得る。
【００１７】
[0034]ＳＣＢＡフレーム１００は、個々の製造ごとにそのフレームに取り付けられる取付点を提供することとなる点において、ＮＦＰＡ−１９８２，２０１３版の「Standard on Personal Alert Safety Systems」の全ての要件に準拠し得る。
【００１８】
[0035]ＳＣＢＡフレーム１００は、ＮＦＰＡ１９８１，ＮＦＰＡ１９８６，ＮＦＰＡ１５００，ＮＦＰＡ１８５２で定められているように、この業界において利用される材料及び範囲が追加のＮＦＰＡ要件及び標準に準拠し得る。フレーム製作に利用され得る材料は、様々な金属及び合金鋼だけでなく、上記要件を満たし、かつ、消防業務におけるＳＣＢＡの業界で現在利用されている硬化成形プラスチック複合材も含み得るがそれらに限定されない。利用される特定の複合材料は、利用される特定の製造業者の独自の材料に依存することができる。
【００１９】
[0036]ＳＣＢＡフレーム１００は、パラシュートタイプの着脱容易なバックルを組み込む標準的なハーネス組立体と互換性があり、業界規格と一致した、かつ、Ｋｅｖｌａｒ（登録商標）で製造され得るショルダー及びヒップパッドを含み得る。
【００２０】
[0037]一実施形態では、図２及び３に示されるように、ＳＣＢＡフレーム１００は、取付メカニズム１０４によって連結された取付板１０２を備え得る。図２は、ショルダーストラップ１０８及び腰ベルト１１０を利用する従来のハーネス１０６によって使用者に取り付けられたＳＣＢＡフレーム１００を示し、取付板１０２に連結されたエアシリンダブラケット１１２を更に備える。図３は、従来のハーネス１０６を有するＳＣＢＡフレーム１００と、エアシリンダ１１４を受けるように構成されたエアシリンダブラケット１１２とを示す。
【００２１】
[0038]各々取付板１０２に装着され、同じくこの業界で利用されている現在の高圧ホースによって互いに連結されることができる１０及び１５分サイズのより小さいボトルをＳＣＢＡ業界はすでに有している。ＳＣＢＡフレーム１００は、４つのシリンダ１１４、バルブ組立体、減圧レギュレータ組立体、業界標準のＫｅｖｌａｒショルダー１０８及びウェストストラップ又はベルト１１０のためのアタッチメントを支える（carry）ように設計され得る。ＳＣＢＡフレーム１００はまた、以下で論述されるように、異なる製造業者の特定のアタッチメント及びアクセサリを取り付けるための追加の点を含み、有し得る。４ピースＳＣＢＡフレームが上で説明されたが、より多くの数の又はより少ない数の取付板を有する他の構成が理解されるべきである。ＳＣＢＡフレームは、鉱業又は使用者が材料を運ぶためにパック又はアイテムを必要とし得る任意の他の用途のような、多くの工業的応用（industrial application）を有する。
【００２２】
[0039]ここで図２〜３を参照すると、様々な実施形態では、ＳＣＢＡフレーム１００は、取付メカニズム１０４によって連結された複数の略長方形の取付板１０２を備え得る。一実施形態では、ＳＣＢＡフレーム１００は、取付メカニズム１０４によって連結された４つの略長方形の取付板１０２を備える。取付メカニズム１０４は、取付板１０２が互いに対して動くことを可能にし、ＳＣＢＡフレーム１００が、使用者の背中の形状に適合することを可能にする。取付メカニズム１０４は、使用者が、垂直に、水平に、又は捩って動くことを可能にし得る。
【００２３】
[0040]取付板１０２は、各々、背骨に対して垂直及び水平になるように配置されており、左から右に背中を横切っているであろう。これらの取付板１０２は、特異かつ別個であり、取付メカニズム１０４を介して互いに連結されている。図３に示されるように、次に、エアシリンダ１１４が、エアシリンダブラケット１１２によって又は以下で説明されるように他の方法でＳＣＢＡフレーム１００に取り付けられる。
【００２４】
[0041]図６Ａに示されるように、様々な実施形態では、取付板１０２は、上部取付板１１６と、上部中間取付板１１８と、下部中間取付板１２０と、下部取付板１２２とを備え得る。
【００２５】
[0042]ここで図６Ａ及び７Ａを参照すると、上部取付板１１６は、上方縁部１２４及び下方縁部１２６を備え得る。上方縁部１２４及び下方縁部１２６の各々は、一対のスロット１２８を備え得る。スロット１２８は、様々なＳＣＢＡ構成要素を連結するために使用され得る。例えば、上部取付板の上方縁部１２４にあるスロット１２８は、ショルダーストラップ１０８を連結するために使用され得る。上部取付板１１６は、同じくショルダーストラップ１０８を連結するために使用され得る中央スロット１３０を更に備え得る。
【００２６】
[0043]ここで図６Ａを参照すると、上部中間取付板１１８は、上方縁部１３２及び下方縁部１３４を備え得る。上方縁部１３２及び下方縁部１３４の各々は、一対のスロット１３６を備え得る。スロット１３６は、様々なＳＣＢＡ構成要素を連結するために使用され得る。
【００２７】
[0044]ここで図６Ａ及び７Ｅを参照すると、下部中間取付板１２０は、上方縁部１３８及び下方縁部１４０を備え得る。上方縁部１３８及び下方縁部１４０の各々は、一対のスロット１４２を備え得る。下部中間取付板は、下部中間取付板１２０の両辺部に近接して位置する一対のサイドスロット１４４も備え得る。スロット１４２は、様々なＳＣＢＡ構成要素を連結するために使用され得る。例えば、サイドスロット１４４は、ウェストストラップ又はベルト１１０を連結するために使用され得る。
【００２８】
[0045]ここで図６Ａ及び７Ｃを参照すると、下部取付板１２２は、上方縁部１４６及び下方縁部１４８を備え得る。上方縁部１４６及び下方縁部１４８の各々は、一対のスロット１５０を備え得る。下部中間取付板は、下部取付板１２２の両辺部に近接して位置する一対のサイドスロット１５２も備え得る。スロット１５０は、様々なＳＣＢＡ構成要素を連結するために使用され得る。スロット１５２は、様々なＳＣＢＡ構成要素を連結するために使用され得る。
【００２９】
[0046]様々な実施形態では、取付板１０２は、中央エリア１５４が取り除かれた板を備え得る。一実施形態では、中央エリア１５４は、製造中に機械加工又はパンチアウト加工され得る。中央エリアは、ＳＣＢＡフレーム１００を軽量化するために取り除かれ得る。
【００３０】
[0047]様々な実施形態では、そして図７Ａに示されるように、上部取付板１１６の両辺部から上部取付板１１６の上方縁部１２４への傾斜縁部１５６を設けるために、上部取付板１１６の上部コーナは取り除かれ得る。
【００３１】
[0048]様々な実施形態では、そして図７Ｃに示されるように、下部取付板１２２の両辺部から下部取付板１２２の下方縁部１４８への傾斜縁部１５８を設けるために、下部取付板１２２の下部コーナが取り除かれ得る。
【００３２】
[0049]様々な実施形態では、そして図５Ｂ、７Ｂ、及び７Ｄを参照すると、取付板１０２は、追加の背支持部を備え得る。背支持部は、背骨から横方向外方に使用者の背中の曲線（contour）を支持するように構成される。背支持部は、取付板１０２に溶接され得るか、又は製造中に取付板１０２と一体化して構成され、適当な位置で曲げられ得る。
【００３３】
[0050]上部取付板１１６は、上部外側背支持部１６０を備え得る。上部中間取付板１１８は、上部中間背支持部１６２を備え得る。下部中間取付板１２０は、下部中間外側背支持部１６５を備え得る。下部取付板１２２は、下部外側背支持部１６７を備え得る。
【００３４】
[0051]図７Ｂは、上部取付板１１６及び上部中間取付板１１８の底面図を示す。背支持部１６０及び１６２は、これらの板１１６，１１８の両端部に近接した縦中心線から外方に位置し、そこから内方に延びる（depend）。背支持部１６０，１６２は、外壁１６４及び内壁１６６を備え得る。外壁１６４は、これらの板１１６，１１８の両端部から外方に延び、内壁１６６は、外壁１６４から内方に前面１６８へと延びる。内壁１６６は、湾曲しているか又はまっすぐであり得る。１６４は、垂直スロット１６９を含み得、これは、ベルト１１０又は任意の他の適切なＳＣＢＡ又は消火構成要素を取り付けるために利用され得る。
【００３５】
[0052]図７Ｄは、下部取付板１２２及び下部中間取付板１２４の底面図を示す。背支持部１６５及び１６７は、これらの板１２０，１２２の両端部に近接した縦中心線から外方に位置し、そこから内方に延びる。背支持部は、外壁１７０及び内壁１７２を備え得る。外壁１７０は、これらの板１２０，１２２の両端部から外方に延び、内壁１７２は、外壁１７０から内方に前面１７４へと延びる。
【００３６】
[0053]取付メカニズム１０４は、取付板１０２が互いに対して動くことを可能にし、ＳＣＢＡフレーム１００が、使用者の背中の形状に適合することを可能にする。様々な実施形態では、取付メカニズムは、ケーブル、ヒンジ、フランジ、又は動いている最中に使用者の背中／背骨の曲線に従うように取付板１０２が互いに対して動くことを可能にする任意の他の適切な締結メカニズムを備え得る。取付板１０２は、単一の取付メカニズム１０４又は複数の取付メカニズム１０４によって互いに取り付けられることができる。
【００３７】
[0054]様々な実施形態では、取付メカニズム１０４は、任意の適切な方法によって取付板１０２に取り付けられたケーブル１７６を備え得る。ケーブルは、工業用の航空機級の材料を備え得る。ケーブル１７６は、取付板１０２が、動くように構成され、使用中に使用者の背骨／背中に適合するように、取付板１０２を連結し得る。
【００３８】
[0055]図５Ａ及び６Ａに示される様々な実施形態では、取付メカニズム１０４は、上部取付板１１６を上部中間取付板１１８に、上部中間取付板１１８を下部中間取付板１２０に、下部中間取付板１２０を下部取付板１２２に連結し得る。
【００３９】
[0056]一実施形態では、取付メカニズム１０４は、取付ブロック１７８及びケーブル１７６を備え得る。取付ブロック１７８は、取付板１０２に溶接されるか又は他の方法でそれに取り付けられ得、図５Ａ及び５Ｂに示されるように配向されている。ケーブル１７６は、任意の既知の方法によって取付ブロック１７８に取り付けられ得る。
【００４０】
[0057]一実施形態では、そして図５Ａ、６Ｂ、７Ｂ、及び７Ｄを参照すると、取付ブロック１７８は、内側部１８０及び外側部１８２を備え得る。内側部又は外側部のうちの一方又は両方は、ケーブルを受けるように構成された溝部１８４を備え得る。内側部は、取付板１０２に溶接されるか又はそれ以外の方法でそれに取り付けられ得る。内側部１８０は、外側部１８２に位置している穴内に配置されるボルト１８５を受け得るネジ穴（図示せず）を備え得る。４ボルトパターンが示されているが、任意の適切な締結方法が使用され得る。一実施形態では、取付メカニズムは、中央ネジ１８６を備え得、これは、ケーブル１７６を更に取り付けるために使用され得る。
【００４１】
[0058]一実施形態では、溝部１８４は、深さが１／８インチの外周を備え得、取付ブロック１７８中に延在する。一実施形態では、工業用の３／１６の航空機級のメタルケーブルは溝部１８４内で受けられ、外側部１８２は、内側部１８０に締結される。外側部１８２が内側部１８０に締結されると、中央ネジ１８６は、ケーブルを更に固定するために利用され得る。
【００４２】
[0059]様々な実施形態では、そして図４及び５Ａを参照すると、ＳＣＢＡフレーム１００は、エアシリンダ１１４を取り付けるために使用されるエアシリンダ取付システム１８６を備え得る。エアシリンダ取付システム１８６は、上部フランジ１８８及び下部フランジ１９０を備え得る。上部フランジ１８８は、取付板１０２の上方縁部から外方に延び、下部フランジ１９０は、取付板１０２の下方縁部から外方に延びる。上部フランジ１８８の各々は、中央切り欠き１９２を備え得る。下部フランジ１９０の各々は、切り欠き１９４及び／又は少なくとも１つのスロット１９６を備え得る。中央切り欠き１９２及び切り欠き１９４は、図３及び４に示されるように、様々なストラップ１９８又は他のタイプのコネクタが、エアシリンダを取り付けるために使用されることを可能にするように構成される。
【００４３】
[0060]技術の更なる進歩は、フレーム１００設計の改良のための機会を提示し得る。この設計に利用されるＳＣＢＡボトルは、直径が４と３／８インチで、ノブとゲージを含んだ長さが１６インチという全体寸法を有する３０００ｐｓｉのボトルであった。実際のボトルは１３インチの長さであった。提示されている取付板１０２の数は、ＳＣＢＡフレーム１００については４つの板であり、述べられた他のアプリケーションについても４つの板である。フレーム全体の全体寸法に加え、取付板１０２のサイズ及び数もまた変化し得る。各板の幅が将来より狭く製造され得るため、わずか３つの取付板１０２、及び、パックの長さに沿って装着されることができるだけの数が存在し得る。重要なことは、ＳＣＢＡフレーム１００が、現在利用されている現在の剛性フレーム設計よりも、追加の運動点のそれによって、増加した背骨運動を容易にすることである。ＳＣＢＡフレーム１００設計は、ケーブルシステム／取付メカニズム１０４のそれによってこれらの運動点を可能にする。ヒンジ、ボールジョイント、ばね、及びジョイントを形成するであろう任意の他の材料は、企図されており、使用に適しているであろう。ケーブルシステム／取付メカニズム１０４は、３６０度の動きを可能にし、かつ、パックの軸負荷を支持するために十分に重いゲージ材料からできている動き万能ジョイントを可能にし、垂直軸負荷だけではなく横軸応力においていくらかの「弾力性（give）」を可能にする。ケーブルシステム／取付メカニズム１０４は、中央に位置しているか、又は個々の取付板１０２の両端部に位置しているであろう。図８Ａ〜８Ｃに示されるように、使用者は、ＳＣＢＡフレーム１００設計を利用して、運動の更に多くの自由度を可能にされ得る。ＳＣＢＡフレーム１００設計は、制限されているのではなく使用者の背中と共に動く。
【００４４】
[0061]ＳＣＢＡフレーム１００設計は、消火設備に関して開始されたが、このＳＣＢＡフレーム１００設計が消防隊以外の他の人々の利益になり得ることは理解されるべきである。図９に示されるように、可動性フレーム２００は、ハイキング、ハンティング、バックパッキング、又は軍事活動にでさえ利用される任意のタイプのバックフレームを備え得、Advance Spinal Mobility Frameのこのコンセプトによって改善されることができる。いくつかの若干の修正を加えれば、この可動性フレーム２００設計は、バックパックアプリケーションに十分に適用可能である。
【００４５】
[0062]可動性フレーム２００は、取付メカニズム１０４によって連結された複数の略長方形の取付板２０２を備え得る。一実施形態では、可動性フレーム２００は、取付メカニズム１０４によって連結された４つの略長方形の取付板２０２を備える。取付メカニズム１０４は、取付板２０２が互いに対して動くことを可能にし、ＳＣＢＡフレーム２００が、使用者の背中の形状に適合することを可能にする。取付メカニズム１０４は、使用者が、垂直に、水平に、又は捩って動くことを可能にし得る。
【００４６】
[0063]取付板２０２は、ＳＣＢＡの取付板１０２に類似するが、エアシリンダ取付システム１８６は、取り除かれている。取付板２０２は、この業界における様々なバックパックを作り上げるウェビング及び材料を固定するための箇所（point）（スロット、切り欠き、等）を見込んでおり、それは作成済みである。ケーブルシステム／取付メカニズム１０４は、中央に位置しているか、又は個々の取付板２０２の両端部に位置しているであろう。ケーブルシステム／取付メカニズム１０４及び取付板２０２の向きは、可動性フレーム２００がＳＣＢＡエアシリンダ取付システム１８６を含むか含まないかにかかわらず、同じであろう。
【００４７】
[0064]可動性フレーム２００の幅は、パック製造会社の必要性が要求し得るものに低減されることができる。伝統的なワンピースの垂直バックパックフレームの多数のフレームは、略８インチ×２６インチである。腰部取付部と併せて、ケーブルシステム／取付メカニズム１０４、スロット、及びパンチアウトは、変化しないであろう。
【００４８】
[0065]本技術は、特定の例示的な実施形態を参照して説明されている。しかしながら、様々な修正及び変更は、本技術の範囲から逸脱することなくなされ得る。本説明及び図は、制限するものではなく実例となる方法で考慮され、そのような修正はすべて、本技術の範囲内に含まれるよう意図されている。従って、本技術の範囲は、単に、上で説明した特定の例によってではなく、説明される一般的な実施形態及びそれらの法的な同等物によって決定されるべきである。例えば、任意の方法又はプロセスの実施形態において記載されているステップは、別途明記されていない限り、任意の順序で実行され得、特定の例において提示された明示的な順序に限定されるものではない。追加的に、任意の装置の実施形態に記載されている構成要素及び／又は要素は、本技術と実質的に同じ結果を生み出すように、組み立てられ得るか、そうでなければ、様々な順列で動作的に構成され得、それ故、特定の例に記載されている特定の構成に限定されるものではない。
【００４９】
[0066]利益、他の利点、及び問題への解決策が特定の実施形態に関して上で説明されてきたが、任意の利益、利点、問題への解決策、又は任意の特定の利益、利点、又は解決策を生じさせるか又はより明白にさせ得る任意の要素は、重要な、必須の、又は不可欠な特徴又は構成要素であると解釈されるべきではない。
本明細書で使用される場合、「備える」、「備えている」という用語又はそれらの任意の変形は、要素のリストを備えるプロセス、方法、製品、構成、又は装置が、記載されているこれらの要素だけを含むのではなく、そのようなプロセス、方法、製品、構成、又は装置に固有である又は明白にリストに記載されていない他の要素も含み得るような、非排他的な包含を参照するよう意図されている。本技術の実施に際して使用される上述した構造、配列、アプリケーション、割合、要素、材料、又は構成要素の他の組合せ及び／又は修正は、具体的に記載されていないものに加えて、変更され得るか、そうでなければ、これらの一般的な原理から逸脱することなく、特に、特定の慣用、製造仕様、設計パラメータ、又は他の動作要件に適合し得る。
本技術は、好ましい実施形態を参照して上に説明されている。しかしながら、変更及び修正は、本技術の範囲から逸脱することなく、この好ましい実施形態に対してなされ得る。以下の特許請求の範囲で表されるように、これらの及び他の変更又は修正は本技術の範囲内に含まれるよう意図されている。
【図１】
2019162421.tif 000003
【図２】
2019162421.tif 000004
【図３】
2019162421.tif 000005
【図４】
2019162421.tif 000006
【図５Ａ】
2019162421.tif 000007
【図５Ｂ】
2019162421.tif 000008
【図６Ａ】
2019162421.tif 000009
【図６Ｂ】
2019162421.tif 000010
【図７Ａ】
2019162421.tif 000011
【図７Ｂ】
2019162421.tif 000012
【図７Ｃ】
2019162421.tif 000013
【図７Ｄ】
2019162421.tif 000014
【図７Ｅ】
2019162421.tif 000015
【図７Ｆ】
2019162421.tif 000016
【図８Ａ】
2019162421.tif 000017
【図８Ｂ】
2019162421.tif 000018
【図８Ｃ】
2019162421.tif 000019
【図９】
2019162421.tif 000020
【外国語明細書】
2019162421000001.pdf